(57)【要約】      （修正有）【課題】スマホの使用時すぐに眼鏡が取り出せる両ケースを結合したスマホ・眼鏡結合ケースを提供する。【解決手段】スマートホーン２には、それを保護するスマートホーンケース４が設けられ、保護カバーの役目と意匠上の装飾性を有しており、スマートホーンケースの上面と下面には、バンド、または蓋が設けられ、スマートホーンが、抜け落ちないよう構成されており、スマートホーンケースの側面部には、眼鏡３を保護する眼鏡ケース５が、一体で連結形成されている。【選択図】図１
0003197567.tif 000002
【実用新案登録請求の範囲】
【請求項１】
スマートホーンには、それを保護するスマートホーンケースが設けられ、保護カバーの役目と意匠上の装飾性を有しており、スマートホーンケースの上面と下面には、バンド、または蓋が設けられ、スマートホーンが、抜け落ちないよう構成されており
スマートホーンケースの側面部には、眼鏡を保護する眼鏡ケースが、設けられていることを特徴とする・眼鏡ケース。
【請求項２】
スマートホーンケースと、眼鏡ケースとが一体で形成され一枚に連結されており、眼鏡ケースを開けることにより、スマートホーン画面が、即座に見られ、操作できることを特徴とするスマートホーン・眼鏡ケース。
【考案の詳細な説明】
【技術分野】
【０００１】  本考案は、スマートホーン（以下スマホという）に眼鏡ケースを組合せたスマホ・眼鏡ケースに関する。
【背景技術】
【０００２】  従来より、スマホのケースは、種々提供されているが、スマホの保護ケースとしての役割を果たすものであった。
一方、眼鏡ケースも種々提供されているが、眼鏡の保護の役割を果たすためのものであった。
一方で、スマホは便利である反面、文字や画面が小さいため中高齢者にとっては、眼鏡が必要であり、スマホの普及が進むほど、眼鏡の必要性が高くなっていた。
しかるに、眼鏡をどこに置いたか分らず探し出すトラブルも中高齢者にとっては、多く発生しており、スマホの使用時すぐに眼鏡が取り出せる必要性が、極めて高くなり、それを結合したケースが、近年実用上非常に望まれていた。
例えば従来の技術の一つとして「特開２０１３−２４００２８号」が、開示されているが、スマホの保護とともにその意匠的デザイン性と暗所でも蛍光剤により発見しやすいというだけの目的のものであった。
【先行技術文献】
【特許文献】
【０００３】
【特許文献１】「特開２０１３−２４００２８号」
【０００４】
【考案の概要】
【考案が解決しようとする課題】
【０００５】    本考案は、最近急激に普及したスマホの実用性を高めるスマートホーン・眼鏡ケースを提供するものである。
【課題を解決するための手段】
【０００６】  スマートホーンには、それを保護するスマートホーンケースが設けられ、保護カバーの役目と意匠上の装飾性を有しており、スマートホーンケースの上面と下面には、バンド、または蓋が設けられ、スマートホーンが、抜け落ちないよう構成されており
スマートホーンケースの側面部には、眼鏡を保護する眼鏡ケースが、設けられていることを特徴とする・眼鏡ケースを提供する。【０００７】  スマートホーンケースと、眼鏡ケースとが一体で形成され一枚に連結されており、眼鏡ケースを開けることにより、スマートホーン画面が、即座に見られ、操作できることを特徴とするスマートホーン・眼鏡ケースを提供する。
【考案の効果】
【０００８】  本考案のスマートホーン・眼鏡ケースは、以下の効果を有するものである。
（１）スマホは便利である反面、文字や画面が小さいため中高齢者にとっては、眼鏡が        必要であり、スマホの普及が進むほど、眼鏡の必要性が高くなっていた。
しかるに、眼鏡をどこに置いたか分らず探し出すトラブルも中高齢者にとっては        、多く発生しており、スマホの使用時すぐに眼鏡が取り出せる必要性が、極めて        高くなり、それを結合したケースが、近年実用上非常に望まれていた。
（２）実施例２ではスマートホーンケース４と、眼鏡ケース５とが一体で形成され一枚        に連結されている。
このように構成すると、眼鏡ケース５を開けることにより、スマホ画面が、即座        に見られる効果を発揮することが出来る。
（３）もちろん、スマートホーンケース４と、眼鏡ケース５と別個に形成し、それらを        接着、縫合等の結合手段（図示せず）により結合しても良い。
（４）また、眼鏡ケース５が取外し可能に構成され、分離して使いたいときは取外し、      その後取付ける形態としても良い。
（５）また、眼鏡ケースを開いたとき、眼鏡ケースの裏面に、メモ用紙を取付け、通話      で、得られた情報を記入することが出来る。
（６）合わせてペン挿みも設けることが出来る。
【図面の簡単な説明】
【０００９】
【図１】本考案装置の全体斜視図である。
【図２】本考案装置の正面図である。
【図３】本考案装置の裏面図である。
【図４】本考案実施例２の全体斜視図である。
【図５】本考案実施例２の眼鏡ケースを開いた状態の全体斜視図である。
【考案を実施するための形態】
【００１０】  前述のスマホの実用性を高めるスマートホーン・眼鏡ケースを提供するものである。
【００１０】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例１】
【００１１】  以下、本考案の実施例について、図面を参照しながら説明する。
この実施例は、図１、及び図２、及び図３に示すように
スマートホーン・眼鏡ケース１は、スマートホーン２には、それを保護するスマートホーンケース４が、設けられ保護カバーの役目と意匠上の装飾性を有している。
スマートホーンケース４の上面と下面には、バンド、または蓋が設けられ、スマートホーン２が、抜け落ちないよう構成されている。
スマートホーンケース４の側面部には、眼鏡３を保護する眼鏡ケース５が、設けられている。【００１２】  眼鏡ケース５の側面には、本実施例では、ファスナー６が設けられており、ファスナーの取っ手７により開閉、取出しが可能となっている。
本実施例では、ファスナー６が示されているが、その他のホック式固定具等や、開閉保持可能な手段であれば何れでもよい。【００１３】  スマートホーンケース４の裏面には、図３に示す如くカメラ用開口８を設けても良い。
スマートホーンケース４及び、眼鏡ケース５の材質は、皮革、布、毛皮、合成樹脂、金属、樹脂を含浸させた紙、不織布等の保護機能のある軟質又は硬質の材料であればいずれのものも採用することが出来る、
【実施例２】
【００１４】  図４は実施例２の全体斜視図を示し、図５は、実施例２の眼鏡ケース５を開いた時の全体斜視図を示す。
この実施例ではスマートホーンケース４と、眼鏡ケース５とが一体で形成され一枚に連結されている。
このように構成すると、眼鏡ケース５を開けることにより、スマホ画面が、即座に見られ、操作できる効果を発揮することが出来る。【００１５】  もちろん、スマートホーンケース４と、眼鏡ケース５と別個に形成し、それらを結合手段（図示せず）により結合しても良い。
また、眼鏡ケース５が取外し可能に構成され、分離して使いたいときは取外し、その後取付ける形態としても良い。
【実施例３】
【００１６】  またスマートホーンケース４の裏面に薄い透明保護カバーを用いその上からの接触圧で、そのままスマホが操作できるようにしても良い。
【実施例４】
【００１７】  また、眼鏡ケースを開いたとき、眼鏡ケースの裏面に、メモ用紙を取付け、通話で、得られた情報を記入することが出来る。合わせてペン挿みも設けることが出来る。
【産業上の利用可能性】
【００１８】    本考案の活用例としては、以上説明したように、今後大発展するスマートホーン市場において新商品の開発による産業の発展と、経済効果が期待できる画期的商品を提供するものである。
【符号の説明】
【００１９】１  スマートホーン・眼鏡ケース
２  スマートホーン
３  眼鏡
４  スマートホーンケース
５  眼鏡ケース
６  ファスナー
７  取っ手
８  カメラ用開口
【図１】
0003197567.tif 000003
【図２】
0003197567.tif 000004
【図３】
0003197567.tif 000005
【図４】
0003197567.tif 000006
【図５】
0003197567.tif 000007
【手続補正書】
【提出日】平成27年2月25日(2015.2.25)
【手続補正１】
【補正対象書類名】実用新案登録請求の範囲
【補正対象項目名】全文
【補正方法】変更
【補正の内容】
【実用新案登録請求の範囲】
【請求項１】
スマートホーンには、それを保護するスマートホーンケースが設けられ、保護カバーの役目と意匠上の装飾性を有しており、眼鏡ケースとが一体で形成されたスマートホーンケースの上面とスマートホーンを保持しているスマートホーンケース下部は、バンド、または蓋が設けられ、スマートホーンが、抜け落ちないよう構成されており、スマートホーンケースの側面部には、眼鏡を保護する眼鏡ケースが、設けられていることを特徴とするスマートホーン・眼鏡ケース。
【請求項２】
スマートホーンケースと、眼鏡ケースとが一体で形成され一枚に連結されており、その連結部を開けることにより、スマートホーン画面が、即座に見られ、操作できることを特徴とするスマートホーン・眼鏡ケース。
【手続補正２】
【補正対象書類名】明細書
【補正対象項目名】０００６
【補正方法】変更
【補正の内容】
【０００６】  スマートホーンには、それを保護するスマートホーンケースが設けられ、保護カバーの役目と意匠上の装飾性を有しており、眼鏡ケースとが一体で形成されたスマートホーンケースの上面とスマートホーンを保持しているスマートホーンケース下部は、バンド、または蓋が設けられ、スマートホーンが、抜け落ちないよう構成されており、スマートホーンケースの側面部には、眼鏡を保護する眼鏡ケースが、設けられていることを特徴とするスマートホーン・眼鏡ケースを提供する。
【手続補正３】
【補正対象書類名】明細書
【補正対象項目名】０００７
【補正方法】変更
【補正の内容】
【０００７】  スマートホーンケースと、眼鏡ケースとが一体で形成され一枚に連結されており、その連結部を開けることにより、スマートホーン画面が、即座に見られ、操作できることを特徴とするスマートホーン・眼鏡ケースを提供する。
【手続補正４】
【補正対象書類名】明細書
【補正対象項目名】００１４
【補正方法】変更
【補正の内容】
【００１４】    図４は実施例２の全体斜視図を示し、図５は、実施例２の眼鏡ケース５を開いた時の全体斜視図を示す。
この実施例ではスマートホーンケース４と、眼鏡ケース５とが一体で形成され一枚に連結されている。
このように構成すると、その連結部を開けることにより、スマホ画面が、即座に見られ、操作できる効果を発揮することが出来る。